(57)【要約】【構成】温泉華を含有してなる時計、眼鏡、および装身具等の材料。【効果】温泉に出掛ける必要もなく、無意識下に温泉医療効果が受けられる。時計、眼鏡、および装身具等の材料に好適である。【選択図】  なし【特許請求の範囲】
【請求項１】
時計、眼鏡、装身具類および身体に装着するか、もしくは衣服等に取り付けられて身体に接触する他の部材を製造するための材料において、温泉華または、温泉華と遠赤外線放射機能等を有するセラミックス粉末を金属、セラミック、ガラス、合成樹脂、およびゴムから選ばれた１種の製造過程で内部に含有させてなる温泉華含有材料。
【請求項２】
前記温泉華が炭酸泉成分、重炭酸土類泉成分、重曹泉成分、硫酸塩泉成分、酸性泉成分、放射能泉成分、鉄泉成分、硫黄泉成分等からなる群より選択される少なくとも１種である請求項１記載の温泉華含有材料。
【請求項３】
更に、医療効果を有する鉱石粉末を含有させてなる請求項１または２記載の温泉華含有材料。
【発明の詳細な説明】
【発明の詳細な説明】
【技術分野】
【０００１】  時計、眼鏡、装身具類および身体に直接付けるか、もしくは衣服等に取り付けられて身体に接触する他の部材用の材料に関する。更に詳しくは、温泉医療効果を有するとともに遠赤外線放射機能等を有する前記材料を使用して製造される時計、眼鏡、装身具類、衣服等用部材並びに身体に接触する製品、またはこれらの部材等に好適な温泉華含有材料に関するものである。
【背景技術】
【０００２】  近年、遠赤外線効果、マイナスイオン効果を有するとされるトルマリン等を含有した材料を使用した時計、装身具等が開発されている。しかし、トルマリンが有するとされる諸効果については科学的な証明がされていない。ところで、時計、装身具等は直接肌に長時間身に付けるものである。【０００３】  したがって、時計、眼鏡、および装身具等を身につけることにより、温泉医療効果が受けられると、わざわざ温泉に出掛ける必要もなく、しかも極めて自然に無意識下に温泉医療が受けられることになり、非常に有益である。今後、社会が高齢化していくにつれ、老人や病人の慢性疾患の治療等の医療効果を有するこのような材料の出現が強く望まれている。
【発明の開示】
【発明が解決しようとする課題】
【０００４】  装着するだけで、簡単に温泉医療法を受けることが可能な時計、眼鏡、装身具等を製造するための材料を提供すること。
【課題を解決するための手段】
【０００５】  本発明による温泉華含有材料は、時計、眼鏡、装身具類および身体に装着するか、もしくは衣服等に取り付けられて身体に接触する他の部材を製造するための材料において、温泉華または、温泉華と遠赤外線放射機能等を有するセラミックス粉末を金属、セラミック、ガラス、合成樹脂、およびゴムから選ばれた１種の製造過程で内部に含有させたことを特徴とするものである。【０００６】  本発明による温泉華含有材料は、上記温泉華が炭酸泉成分、重炭酸土類泉成分、重曹泉成分、硫酸塩泉成分、酸性泉成分、放射能泉成分、鉄泉成分、硫黄泉成分等からなる群より選択される少なくとも１種であることを特徴とするものである。【０００７】  本発明に用いられる温泉華に含まれる温泉医療効果を有する物質は表１に例示する通りである。これらは単独または２種以上組み合わせて用いられる。【０００８】  本発明においては、温泉華とともに遠赤外線放射機能等を有するセラミックス粉末が併用される。このようなセラミックスとしては、アルミナ系、マグネシア系、ジルコニア系等が挙げられる。【０００９】  更にまた、医療効果を有する鉱石粉末を併用することもできる。本発明に用いられる鉱石粉末は、医療効果のある鉱石であれば特に制限されない。このような鉱石としては、二酸化珪素、酸化マグネシウム、二酸三化鉄、酸化カリウム、バナジウム、ラドン、ルミジウム、チタン、ジルコニウム、ランタン、ルテデウム、エルビワム等が含まれている鉱石が挙げられる。かかる鉱石粉末を併用することにより、温泉華の温泉医療効果と鉱石の医療効果の相乗効果により、血行促進、筋肉の疲れや疲労の回復、神経痛や筋肉痛の緩解、胃腸機能の活発化等の諸効果をより効率よく受けることができる。【００１０】
【表１】
2005261896.tif 000002
【００１１】  泉質による温泉医療効果は、表１に例示する通りであり、泉質によって異なった温泉医療効果がある。本発明が含有する温泉華を、目的とする温泉医療効果を有する泉質の温泉華とすることで、使用者が個別に求める特定の温泉医療効果を有する温泉華含有材料として提供することができる。【００１２】  金属、セラミック、ガラス、合成樹脂、およびゴムから選ばれた１種の製造過程で内部に温泉華、および遠赤外線放射機能等を有するセラミックス粉末または、医療効果を有する鉱石粉末等を含有させる方法としては、例えば金属、ガラス、熱可塑性樹脂、熱可塑性ゴム等の場合は溶融状態とし、この中に温泉華等の粉末を均一に分散含有させる。また、セラミック、熱硬化性樹脂、熱硬化性ゴム等の場合は、材料に温泉華等の粉末を混練し均一に分散含有させる。【００１３】  本発明の金属、セラミック、ガラス、合成樹脂、およびゴムは従来の時計、眼鏡、および装身具等の全てに適用でき、時計、眼鏡、指輪、ネックレス、ブレスレット、ペンダント、イヤリング、ピアス、アンクレット等の製造に特に好適である。なお、複数の時計、眼鏡、および装身具等を人体の違う部位に装着すれば一層効果的である。
【発明の効果】
【００１４】  本発明の温泉華含有材料によって製造された時計、眼鏡、および装身具等を身につけるだけで、簡単に日常生活の中で温泉医療効果または遠赤外線の効果等を受けることができる具体的には血行促進、筋肉の疲れや疲労の回復、神経痛や筋肉痛の緩解、胃腸機能の活発化等である。また、本発明が有する温泉医療効果は老人や病人の慢性疾患の治療に極めて有効である。【００１５】  血流の改善については、市販の熱可塑性ポリウレタンエラストマー１００重量部当たり温泉華粉末１重量部含有する本発明の製造方法で得られた温泉華含有材料によりテストを実施した。テストに使用した含有温泉華は登別温泉産、草津温泉産、伊香保温泉産、箱根温泉産、別府温泉産、玉川温泉産の６種類である。それぞれサーモグラフィー（温度分解能：１℃、日本電子製）による体温変化により血流の改善を確認した。【００１６】  特に、市販の熱可塑性ポリウレタンエラストマー１００重量部当たり、秋田県玉川温泉産の天然ラジウム元素を含有する温泉華粉末１重量部含有する本発明の製造方法で得られた温泉華含有材料で製作したネックレスにより、慢性的な肩こりで悩む男性（４２才）を対象に１日８時間装着させ、３日間モニターテストした。結果、肩こりの大幅な緩和、疲労の回復等、著しい温泉医療効果を確認した。【００１７】  目的とする温泉医療効果を有する泉質の温泉華を本発明が含有する温泉華とすることで、使用者が個別に求める特定の温泉医療効果を有する時計、眼鏡、および装身具等の材料として提供することができる。
【実施例】  次に実施例により本発明をさらに詳細に説明する。【００１８】  装身具等の実施例として、装身具等を本発明の温泉華含有材料の地金等で製造する。この装身具等を装着することで本発明の温泉華含有材料が身体に接触し、本発明の温泉華含有材料が有する温泉医療効果によって全身の活性化が図られる。【００１９】  指輪の実施例として、指輪の内側、つまり身体に接触する部分に本発明の温泉華含有材料を組み込むための穴を予め加工しておく。上記の指輪の穴に本発明の温泉華含有材料をかしめ法により固定する。この指輪を装着することで、本発明の温泉華含有材料が有する温泉医療効果によって全身の活性化が図られる。【００２０】  ネックレスの実施例として、ネックレスの内側、つまり身体に接触する部分に本発明の温泉華含有材料を組み込むための穴を予め加工しておく。上記のネックレスの穴に本発明の温泉華含有材料をかしめ法により固定する。このネックレスを装着することで、本発明の温泉華含有材料が有する温泉医療効果によって全身の活性化が図られる。【００２１】  イヤリング、ピアスの実施例として、イヤリング、ピアスのキャッチを本発明の温泉華含有材料で製造する。このときの材料としてはシリコンゴムが好ましい。このイヤリング、ピアスを装着することで、本発明の温泉華含有材料が有する温泉医療効果によって全身の活性化が図られる。【００２２】  時計、ブレスレットの実施例として、時計バンド、ブレスレットの内側、つまり身体に接触する部分に本発明の温泉華含有材料を組み込むための穴を予め加工しておく。上記の時計バンド、ブレスレットの穴に本発明の温泉華含有材料をかしめ法により固定する。この時計、ブレスレットを装着することで、本発明の温泉華含有材料が有する温泉医療効果によって全身の活性化が図られる。【００２３】  眼鏡の実施例として、眼鏡の身体に接触する部分、例えば鼻や耳に掛かる部分を本発明の温泉華含有材料で製造する。この眼鏡を装着することで、本発明の温泉華含有材料が有する温泉医療効果によって全身の活性化が図られる。【００２４】  携帯電話用のストラップの実施例として、ストラップの紐以外の飾り部分を本発明の温泉華含有材料で製造する。このストラップに触れることで、本発明の温泉華含有材料が有する温泉医療効果によって全身の活性化が図られる。【００２５】  携帯電話等に使用する場合の実施例として、まず、本発明の温泉華含有材料にて薄い板を製造する。大きさは２ｃｍ×２ｃｍ位が望ましい。この薄い板の片側に粘着糊を塗布する。これを携帯電話等の肌に触れる部分に貼る。これに触れることで、本発明の温泉華含有材料が有する温泉医療効果によって全身の活性化が図られる。